(57)【要約】      （修正有）【課題】インクの飛翔方向が安定した，印字性能の高い連続吐出型インクジェット記録装置を提供する。【解決手段】インクを噴射するノズル開口部６４を有するノズル６と，ノズル開口部が形成されているノズル端面６２と，記録情報に応じた記録信号を発生する手段と，前記記録信号に基づきインク液滴を帯電させる手段と，帯電したインク液滴の飛翔方向を偏向させる手段とを備え，前記ノズルは，前記ノズル端面に対向したノズルカバー１００を有し，前記ノズル端面と前記ノズルカバーとの間に液体を保持する微小間隙１０１を有することを特徴とする。【選択図】図１
2014201052.tif 000002
【特許請求の範囲】
【請求項１】
インクを噴射するノズル開口部を有するノズルと，前記ノズル開口部が形成されているノズル端面と，記録情報に応じた記録信号を発生する手段と，前記記録信号に基づきインク液滴を帯電させる手段と，帯電したインク液滴の飛翔方向を偏向させる手段とを備え，偏向方向とほぼ直角方向に移動する記録対象物に文字などを記録するインクジェット記録装置において， 
前記ノズルは，前記ノズル端面に対向したプレート状のカバー部材を有し，前記ノズル端面と前記カバー部材との間に液体を保持する間隙を有することを特徴とするインクジェット記録装置。
【請求項２】
請求項１に記載のインクジェット記録装置において，前記カバー部材は，ノズル内部と前記ノズル開口部の少なくとも一方よりも，親液性であることを特徴とするインクジェット記録装置。
【請求項３】
請求項１または２に記載のインクジェット記録装置において，前記カバー部材は，１つ以上の貫通穴を有し，前記貫通穴の内，少なくとも１つ以上の貫通穴の一端は，前記間隙に接続されていることを特徴とするインクジェット記録装置。
【請求項４】
インクを噴射するノズル開口部を有するノズルと，ノズル開口部が形成されているノズル端面と，記録情報に応じた記録信号を発生する手段と，前記記録信号に基づきインク液滴を帯電させる手段と，帯電したインク液滴の飛翔方向を偏向させる手段とを備え，偏向方向とほぼ直角方向に移動する記録対象物に文字などを記録するインクジェット記録装置において，
前記ノズルは，ノズル端面に対向したプレート状のカバー部材を有し，前記カバー部材は，１つ以上の貫通穴を有し，前記貫通穴の一端は，前記ノズル開口部に接続されており，前記カバー部材には，前記貫通穴より，前記貫通穴の径方向に放射状に，少なくとも１本の溝が形成されていることを特徴とするインクジェット記録装置。
【請求項５】
請求項４に記載のインクジェット記録装置において，
前記溝は，前記貫通穴の径方向外側に向かって深さが浅くなっていることを特徴とするインクジェット記録装置。
【請求項６】
インクを噴射するノズル開口部を有するノズルと，ノズル開口部が形成されているノズル端面と，記録情報に応じた記録信号を発生する手段と，前記記録信号に基づきインク液滴を帯電させる手段と，帯電したインク液滴の飛翔方向を偏向させる手段とを備え，偏向方向とほぼ直角方向に移動する記録対象物に文字などを記録するインクジェット記録装置において，
前記ノズル端面に，前記ノズル開口部の径方向に放射状に，少なくとも１本の溝が形成されており，前記溝の内，少なくとも１本以上の前記溝の少なくとも一端は，前記ノズル開口部あるいは前記ノズル開口部を含む開口空間に接続されていることを特徴とするインクジェット記録装置。
【請求項７】
インクを噴射するノズル開口部を有するノズルと，ノズル開口部が形成されているノズル端面と，記録情報に応じた記録信号を発生する手段と，前記記録信号に基づきインク液滴を帯電させる手段と，帯電したインク液滴の飛翔方向を偏向させる手段とを備え，偏向方向とほぼ直角方向に移動する記録対象物に文字などを記録するインクジェット記録装置において，
前記溝は，前記ノズル開口部およびに前記ノズル開口部を含む開口空間接続されておらず，前記ノズル開口部の形成面が，前記溝の形成面と同一の面になっているか，前記ノズル開口部の形成面が，前記溝の形成面よりもインク噴射方向に位置していることを特徴とするインクジェット記録装置。
【請求項８】
請求項６または７のいずれかに記載のインクジェット記録装置において，
前記溝は，前記ノズル開口部の径方向外側に向かって深さが浅くなっていることを特徴とするインクジェット記録装置。
【発明の詳細な説明】
【技術分野】
【０００１】
本発明は，インクジェット記録装置に関わり，特に，連続吐出型インクジェット装置に関する。
【背景技術】
【０００２】
一般に，インクジェット記録装置は，着色インクをパターニングすることで，文字や画像の形成記録などに用いられる。本発明が関る連続吐出型インクジェット装置は，一般的に家庭・オフィス用プリンタで使用されるオンデマンド型インクジェット装置に比較し，高信頼性・高メンテナンス性を有した高安定な液滴吐出装置である。このため，かかる装置は，高信頼性・高メンテナンス性・高安定性が要求される液体を利用した機能インク塗布やパターニングが必要な電子機器などの製造装置にも応用が可能である。
【０００３】
インクジェット記録装置には種々のものが既に知られおり，特に，本発明が関連する連続吐出型インクジェット装置の基本動作原理について，図７を参照しながら，以下に説明する。図７は，かかるインクジェット装置の概略構成図である。インク供給路２１は，インクを貯めておくインク容器１に接続され，その途中にインクを圧送する供給ポンプ２２が設けてあり，インクをノズル６に供給する。ノズル６には，圧電素子が設けてあり，交流電圧を供給することによって液滴化したインクがノズル６から噴出する。ノズル６の先には，液滴の飛翔方向と平行になるように近接して帯電電極７が設けてある。帯電電極７には，記録信号源が接続されており，この帯電電極７に記録信号電圧を印加することによって，ノズル６より規則的に噴射するインク液滴８を帯電する。さらに帯電電極７の先には，偏向電極９，１０が設けてある。上部偏向電極９には高電圧線(図示せず)が接続され，下部偏向電極１０は設置されているので，上部偏向電極９と下部偏向電極１０の間に静電界が形成される。帯電した液滴８は帯電量に応じて変更され，記録媒体(図示せず)上に付着し，画像が形成される。印字に使われなかった液滴は，当該液滴を回収するガター１１によって回収される。ガター１１には，回収回路２３およびポンプ２４が接続されており，液滴をインク容器１へ戻してインクを再利用できるようになっている。インク容器１においては，インク容器１内の液体の濃度を測定する濃度測定器(図示せず)が設けられており，インク濃度制御装置(図示せず)によって，溶剤容器２の溶剤を溶剤回路２５を通じてインク容器１に供給することによってインク容器１内の濃度を所望の濃度に制御している。
【０００４】
上述した連続吐出型インクジェット装置では，吐出後の液体（インク）への帯電量を制御して液体の偏向に用いていることから，液滴の吐出制御を１滴ごと行う必要がなく，そのため，装置の構成が簡単となり，また，連続して液滴吐出を行うため，ノズル詰まりが発生し難く，そのため，高い信頼性を確保することが可能となる。これらの理由から，上述した連続吐出型インクジェット装置は，長寿命や高い信頼性が必要とされる産業用マーキングの装置として好適であり，広く利用されている。
【０００５】
しかしながら，このようなインクジェット装置においても，装置が稼動している間は常にインクを噴出しているので，インクがノズルに詰まることは少ないが，装置が停止している場合にはノズル内部にインクが固着することがあり，この場合には，固着物があることによってインク飛翔方向が曲がり，目的の場所に印字できなかったり，印字した際の画質が低下したりするという問題が発生する。したがって，ノズル内部にインクが固着するのを防ぐために，通常，運転終了時にノズル６の洗浄が行われる。洗浄には，主に２つの方法が考えられる。第１の洗浄方法は，運転終了時に，溶剤を溶剤容器２から洗浄回路２６を通じてノズル６に供給し，ノズル内部のインクを溶剤に溶解するとともに，ノズルから押し出す方法である。押し出されたインクや，インクを溶解した溶剤は，ガター１１によって回収される。これにより，ノズル６内部のインク濃度は減少し，ノズル内部のインクの固着が生じにくくなる。第２の洗浄方法は，インクを噴射するノズル開口部に，ノズル６の外部から溶剤を注入する方法である。この場合，ノズル６内部にあったインクは，吸引ポンプ(図示せず)によって吸引され，吸引回路(図示せず)を通じてインク容器１に回収される。しかしながら，いずれの洗浄方法においても，ノズル内のインクは完全には洗浄されるわけではない。第１の洗浄方法では，溶剤の中にインク成分は微量に残留している。また，第２の洗浄方法では，ノズル内部や回路内部の気体が，温度上昇により膨張し，これが駆動力となって，吸引しきれずに残存したインク成分を含む溶剤が，ノズル開口部６４に移動する。通常，溶剤は揮発性であり，時間の経過とともに蒸発する。したがって，いずれの洗浄方法においても，溶剤内のインクの濃度が上昇し，最終的にノズル内部にインクが固着することがある。ここで，第１の洗浄方法で洗浄する場合を例にとって，ノズル内部にインクが固着する過程を図８，図９，図１０を用いて説明する。図８は，ノズル６の，ノズル開口部６４周辺の部分拡大図である。ノズル６には，円柱状の凸部６１が形成され，ノズル端面６２上に，円筒状の開口部であるノズル開口部６４が形成されている。ノズル開口部６４は，例えばプレス加工などにより形成され，ノズル内壁６３を有している。第１の洗浄方法において，圧送されたインク成分を含む溶剤８１は，図中Ｓで示す方向(以下，インク噴出方向)に噴出する。この際，ノズル端面６２上には，インク成分を含む溶剤８１が濡れ広がり，液膜８２が形成される。図９は，第１の洗浄方法による洗浄が終了した時点でのノズル開口部６４周辺の部分拡大図である。インク成分を含む溶剤８１は，ノズル端面６２に付着した液膜８３と，ノズル開口部６４内に存在する残存溶剤８４に分離する。残存溶剤８４は，ノズル開口部６４内部に，メニスカスを形成する。時間の経過によって，液膜８３と残存溶剤８４は蒸発し，図１０に示したように残留物８５が固着する。ノズル内壁６３に固着物８５が形成された場合には，固着物があることによってインク飛翔方向が曲がり，目的の場所に印字できなかったり，印字した際の画質が低下したりするという問題が発生する。
【０００６】
これに対して，例えば特許文献１においては，ノズル形成面に凹部を設置し，ワイピング手段によってノズル近傍の液体(インク)をワイプし，凹部に移動させて捕捉することが行われている。
【先行技術文献】
【特許文献】
【０００７】
【特許文献１】特開2004-148606号公報
【発明の概要】
【発明が解決しようとする課題】
【０００８】
しかしながら，上記特許文献１に記載されている方法では，ワイピングによってインクが取り除かれるのは，主にノズル形成面の付着したインクであって，ノズル内部にはインクが残留しやすいため，ノズル内部におけるインクの固着は防止されにくいという問題があった。通常，ノズル端面よりも，ノズル内壁に固着物が形成したほうがインクの飛翔方向に与える影響は大きいため，ノズル内壁の固着物形成を防止することが求められていた。また，特許文献１に記載されている方法では，ワイピング手段を設ける必要があり，装置の複雑化やコストの上昇という問題があった。
【０００９】
そこで，本発明では，インクジェット装置における上記課題を解決し，インク飛翔方向の安定したインクジェット装置を提供することを目的とする。
【課題を解決するための手段】
【００１０】
本発明では，上記目的を達成するために，インクを噴射するノズル開口部を有するノズルと，ノズル開口部が形成されているノズル端面と，記録情報に応じた記録信号を発生する手段と，前記記録信号に基づきインク液滴を帯電させる手段と，帯電したインク液滴の飛翔方向を偏向させる手段とを備え，記録対象物に文字などを記録するインクジェット記録装置において，前記ノズルは，前記ノズル端面に対向したプレート状のカバー部材を有し，前記ノズル端面と前記カバー部材との間に液体を保持する間隙を有することを特徴とするインクジェット記録装置が提供される。
【発明の効果】
【００１１】
本発明によれば，ノズル内部にインクなどの残留物が固着しにくいという効果がある。そのため，目的の場所に印字できなかったり，印字した際の画質が低下したりすることを防ぐことができる。すなわち，高信頼性のインクジェット記録装置を，特に，インク飛翔方向の安定した連続吐出型インクジェット記録装置を提供できるという効果がある。
【図面の簡単な説明】
【００１２】
【図１】本発明の第１の実施例のインクジェット記録装置において，ノズル開口部付近を粒子噴出方向から見た図および断面図である。
【図２】本発明の第２の実施例のインクジェット記録装置において，ノズル開口部付近を粒子噴出方向から見た図および断面図である。
【図３】本発明の第３の実施例のインクジェット記録装置において，ノズル開口部付近を粒子噴出方向から見た図および断面図である。
【図４】本発明の第４の実施例のインクジェット記録装置において，ノズル開口部付近を粒子噴出方向から見た図および断面図である。
【図５】本発明の第５の実施例のインクジェット記録装置において，ノズル開口部付近を粒子噴出方向から見た図および断面図である。
【図６】本発明の第６の実施例のインクジェット記録装置において，ノズル開口部付近を粒子噴出方向から見た図および断面図である。
【図７】従来技術における連続吐出型インクジェット記録装置の全体構成を示す概略図である。
【図８】従来技術において，第１の洗浄過程のノズル開口部付近の断面図である。
【図９】従来技術における第１の洗浄方法による洗浄が終了した時点でのノズル開口部周辺の部分拡大図である。
【図１０】従来技術において残留物が固着した状態のノズル開口部周辺の部分拡大図である。
【図１１】微小溝の内部における液体の界面付近を示す模式図である。
【発明を実施するための形態】
【００１３】
以下に，本発明の実施の形態について，図面を参照しながら，詳細に説明する。図１は，本発明にかかる第１の実施例に関して，ノズル６を，粒子噴出方向から見た図(ガター１１から見た図)と，そのＡ−Ａ’断面である。図１に示す実施例においては，ノズル６の凸部６１に，ノズルカバー１００が設置されている。ノズル端面６２に対向するように，ノズルカバー面１０２が形成され，ノズル端面６２とノズルカバー面１０２の間には，微小隙間１０１が形成されている。ノズルカバー１００は，ノズル開口部６４の，インク噴出方向下流に，ノズルカバー開口部１０４を有する。ノズルカバー開口部１０４には，ノズルカバー開口部内壁１０３が形成されている。上述したノズル内部の第１の洗浄過程においては，例えば図８に示したように，インク成分を含む溶剤８１が，ノズル端面６２上に濡れ広がる。図１に示した実施例においては，この際，ノズル端面６２とノズルカバー面１０２の間に形成された微小隙間１０１に，インク成分を含む溶剤８１が毛細管効果により捕捉される。
【００１４】
毛細管効果によって，微小隙間１０１に捕捉される原理は，概ね以下のとおりである。一般的に，２種類の流体の界面においては，圧力差ΔＰが生じる。この圧力差は，ラプラス圧と言われ，〔式１〕によって表わされる。
【００１５】
【数１】
2014201052.tif 000003
ここで，ΔＰは圧力差，γは表面張力，Ｒ，Ｒ’は界面の主曲率半径である。本実施例の場合は，界面はインク成分を含む溶剤８１と空気とで形成される。インク成分を含む溶剤８１がノズル端面６２やノズルカバー面１０２と濡れ易い場合，図１１に示すように微小隙間１１０の内部で凹面のメニスカスを形成する。図１１は，微小溝１１０の内部におけるインク成分を含む溶剤８１の界面付近における模式図である。ただし，図１１においては，主曲率半径Ｒ’は省略して表示している。この場合，インク成分を含む溶剤８１において，ラプラス圧だけの減圧が生じる。この減圧を駆動力として，インク成分を含む溶剤８１は図１１に矢印で示したように微小隙間１０１の内部を濡れ広がり，保持される。微小隙間１０１の幅はノズル開口部６４の直径よりも小さいことが望ましい。これにより，毛細管効果によって，インク成分を含む溶剤８１は微小隙間１０１に強固に保持され，時間経過によりインク成分を含む溶剤８１が蒸発した場合においても，インク成分を含む溶剤８１はノズル開口部６４内部に残存せず，微小隙間１０１内部に残存する。したがって，ノズル内壁６３には固着物が形成されず，その代わりにノズル端面６２ないしはノズルカバー面１０２に固着物が形成される。これにより，ノズル開口部６４内部には固着物は形成されないので，インク飛翔方向が曲がることを防止できる。
【００１６】
ここで，ノズルカバー１００は，インク成分を含む溶剤８１が濡れ易い材質であることが望ましいが，本発明は，ノズルカバー１００の材質を限定するものではない。凸部６１に固定でき，またインク成分を含む溶剤８１を保持できれば，金属でも樹脂でも使用可能である。また，インク成分を含む溶剤８１が微小隙間１０１に強固に保持されるために，ノズル端面６２やノズルカバー１００の表面に親液処理が施されていても良い。特に，ノズル端面６２や，ノズルカバー面１０２や，ノズルカバー開口部内壁１０３は濡れ易いことが望ましく，さらには，微小隙間１０１およびノズルカバー開口部１０４に確実にインク成分を含む溶剤８１を保持するために，ノズル端面６２や，ノズルカバー面１０２や，ノズルカバー開口部内壁１０３は，ノズル内壁６３よりも濡れ易いことが望ましい。また，ノズルカバー１００は，本インクジェット装置が運転されている間，常にノズル６に装着されているものであってもよく，運転終了時に装着するものであっても良い。運転されている間，常に装着されている場合には，ノズルカバー開口部１０４は，インクの噴出を妨げないように，ノズル開口部６４よりも径が大きいことが望ましいが，ノズルカバー開口部１０４にインク成分を含む溶剤８１を強固に保持するために，インクの噴出に影響が出ない範囲で小さい径であることが望ましい。また，本発明は，ノズルカバー１００を，凸部６１に固定する方法を限定するものではない。例えば，凸部６１は，ノズルカバー１００に対して，圧入によって固定されていても良い。また，接着剤による固定でも良く，ねじ等による固定でも良い。また，凸部６１およびノズルカバー１００自体にねじ切り加工が施されており，ノズルカバー１００を凸部６１に対してねじ締めすることによって固定しても良い。さらに，図１の実施例では，凸部６１を有する形状としたが，必ずしも凸部６１を有する形状でなくても良い。この場合，ノズルカバー１００は，ノズル端面６２に対して，ねじや接着剤等によって固定される。
【００１７】
さらに，本実施例は，上記第１の洗浄方法のみならず，第２の洗浄方法に対しても，効果を発揮する。なぜならば，第２の洗浄方法でノズル６内部を洗浄したとしても，例えばノズル６や回路の中から，温度（気温）上昇による空気の膨張力などを駆動力として，インク成分を含む溶剤８１が，ノズル開口部６４を経由し，ノズル端面６２まで濡れ広がるためである。この場合も，上述したように，ノズル端面６２とノズルカバー面１０２の間に形成された微小隙間１０１や，ノズルカバー開口部１０４に，インク成分を含む溶剤８１が毛細管効果により捕捉される。これにより，ノズル開口部６４内部には固着物は形成されないので，インク飛翔方向が曲がることを防止できる。
【００１８】
図２は，本発明の第２の実施例に関して，ノズル６を，粒子噴出方向から見た図(ガター１１から見た図)と，そのＢ-Ｂ’断面，およびＣ−Ｃ’断面である。本実施例においては，凸部６１は，ノズルカバー１００の支持部１０５に対して，圧入によって固定されている。しかしながら，支持部１０５は，凸部６１の全周に渡って設けられているわけではなく，Ｃ−Ｃ’断面図に見られるように，部分的に形成されておらず，代わりに通気口１０６が形成されている。これにより，インク成分を含む溶剤８１が微小隙間１０１に入り込む際に，図中矢印ＴおよびＵで示すように，元々微小隙間１０１に存在した空気が通気口１０６を通じて排出される。したがって，微小隙間１０１に，より多量のインク成分を含む溶剤８１を効率的に保持することが可能となる。また，本実施例の変形例として，ノズルカバー開口部１０４が形成されておらず，ノズル開口部を塞ぐような形状であってもよい。この場合，ノズルカバー１００は，インクジェット装置の運転が終了した後に，凸部６４に装着される。この場合においても，上述したように，例えばノズル６や回路の中から，温度（気温）上昇による空気の膨張力などを駆動力として，インク成分を含む溶剤８１が，ノズル開口部６４を経由し，ノズル端面６２まで濡れ広がった際に，インク成分を含む溶剤８１は，微小隙間１０１に捕捉される。これにより，ノズル開口部６４内部には固着物は形成されないので，インク飛翔方向が曲がることを防止できる。また，本発明は，通気口１０６の大きさや，個数を限定するものではない。通気口１０６の大きさや個数は，インクの保持能力，製造コスト，ノズルカバー１００の装着の容易さ，強度等により決定される。
【００１９】
図３は，本発明の第３の実施例に関して，ノズル６を，粒子噴出方向から見た図(ガター１１から見た図)と，そのＤ−Ｄ’断面，およびＥ−Ｅ’断面である。本実施例においては，ノズルカバー１００の，ノズル端面６２に対向する面において，微小溝１１０（110a，110b，110c，110d）を有している。インク成分を含む溶剤８１は，微小溝１１０に捕捉されるため，ノズル開口部内壁６３には固着物が形成されず，その代わりに微小溝１１０内部に形成される。これにより，インク飛翔方向が曲がることを防止できる。ここで，本実施例では，微小溝１１０は4本としたが，本発明は溝の数を限定するものではなく，これよりも少なくても多くても良い。また，微小溝１１０の幅は，より強力にインク成分を含む溶剤８１を保持するためには，ノズル開口部６４の径と同等かそれより小さいことが望ましいが，本発明は微小溝１１０の幅を限定するものではない。また，微小溝１１０の数は多いことが望ましい。微小溝１１０の幅および本数は，製造コスト，保持したいインク成分を含む溶剤８１の量，ノズル開口部６４の径等によって決定される。
【００２０】
図４は，本発明の第４の実施例に関して，ノズル６を，粒子噴出方向から見た図(ガター１１から見た図)と，そのＦ−Ｆ’断面である。本実施例においては，ノズルカバー１００には，複数の微細穴１２０が形成されている。インク成分を含む溶剤８１は，微小隙間１０１や，微細穴１２０に捕捉されるため，ノズル開口部内壁６３には固着物が形成されず，その代わりにノズル端面６２，ノズルカバー面１０２，微細穴１２０内部に形成される。これにより，インク飛翔方向が曲がることを防止できる。ここで，複数の微細穴１２０は，同じ径を有している必要は無い。また，インク成分を含む溶剤８１を毛細管効果によって強固に捕捉するために，微細穴１２０の径はノズル開口部６４の径よりも小さいことが望ましいが，該インクジェット装置の運転中もノズルカバー１００を装着する場合には，インクの飛翔に影響が出ないように，ノズル開口部６４に対向する微細穴１２０の径はノズル開口部６４の径よりも大きくても良い。
【００２１】
図５は，本発明の第５の実施例に関して，ノズル６を，粒子噴出方向から見た図(ガター１１から見た図)と，そのＧ−Ｇ’断面である。本実施例においては，ノズルカバー１１０に，ノズルカバー開口部１３４が設けられ，ノズルカバー開口部１３４からは，放射状に溝１３０が形成されている。また，溝１３０においては，ノズル開口部６４から離れるにつれて，その溝深さが浅くなるようにテーパ部１３０aが設けられている。これにより，毛細管効果によって，インク成分を含む溶剤８１は，ノズル開口部６４から遠ざかる方向に放射状に引っ張られ，溝１３０に保持される。時間経過によりインク成分を含む溶剤８１が蒸発した場合においても，インク成分を含む溶剤８１はノズル開口部６４内部に残存せず，溝１３０内部に残存する。したがって，ノズル内壁６３には固着物が形成されず，その代わりにテーパ部１３０aに固着物が形成される。これにより，ノズル開口部６４内部には固着物は形成されないので，インク飛翔方向が曲がることを防止できる。
【００２２】
テーパ部１３０aの効果は，主に溝１３０内部の固着物の洗浄が容易になる点である。ノズルは，定期的，あるいは固着物が形成された場合に，ノズルをインクジェット装置から取り外し，超音波等による洗浄が行われる。ノズルカバーに溝を形成した場合，溝内部の角部において，固着物が形成される可能性がある。溝１３０内部の固着物は，インク飛翔に与える影響は小さいものの，溝１３０内部も洗浄されるのが望ましい。本実施例では，テーパ部１３０aを設けることにより，溝１３０の先端ほど溝が浅くなっているため，超音波等によって容易に洗浄することができ，溝１３０内部に固着物が形成された場合にも容易に取り除くことが出来る。
【００２３】
また，本実施例においては，ノズルカバー１００を設置する形態としたが，ノズルカバーを用いず，ノズル６に直接溝を形成してもよい。この場合，溝は，エッチング，プレス加工，放電加工等により形成される。また，インク成分を含む溶剤８１をより強固に保持するために，溝１３０の幅はノズル開口部６４の径方向に遠ざかるにつれて狭くなる形状が望ましいが，本発明は溝１３０の幅の変化を規定するものではなく，溝１３０の幅は一定であってもよく，またノズル開口部６４の径方向に遠ざかるにつれて広くなっている形状でも良い。ただし，ノズル開口部６４の径と同等か，それ以下であることが望ましい。
【００２４】
また，本発明は，溝１３０の本数を限定するものではない。より多くの溝１３０があることが望ましいが，実際の本数は製造コスト，保持したいインク成分を含む溶剤８１の量等によって決定される。
【００２５】
図６は，本発明の第６の実施例に関して，ノズル６を，粒子噴出方向から見た図(ガター１１から見た図)と，そのＨ−Ｈ’断面である。本実施例においては，ノズル開口部の径方向外側に，放射状の溝１４０を有する。本実施例においても，第５の実施例と同様に，インク成分を含む溶剤８１は，ノズル開口部６４から遠ざかる方向に放射状に引っ張られ，溝１４０に保持される。特に，上述したように，ノズル６や回路の中から，温度（気温）上昇による空気の膨張力などの駆動力が，インク噴射方向に作用している場合には，インク成分を含む溶剤８１は，より強くノズル開口部６４から遠ざかる方向に放射状に引っ張られる。そのため，時間経過によりインク成分を含む溶剤８１が蒸発した場合においても，インク成分を含む溶剤８１はノズル開口部６４内部に残存せず，溝１４０内部に残存する。したがって，ノズル内壁６３には固着物が形成されず，その代わりに溝１４０内部に形成される。これにより，ノズル開口部６４内部には固着物は形成されないので，インク飛翔方向が曲がることを防止できる。ここで，インク成分を含む溶剤８１をより強固に保持するために，ノズル端面６２および溝１４０内部は，ノズル内壁６３よりも濡れ易いことが望ましい。また，実施例５と同様に，溝１４０の幅はノズル開口部６４の径方向に遠ざかるにつれて狭くなる形状が望ましいが，本発明は溝１４０の幅の変化を規定するものではなく，溝１４０の幅は一定であってもよく，またノズル開口部６４の径方向に遠ざかるにつれて広くなっている形状でも良い。ただし，ノズル開口部６４の径と同等か，それ以下であることが望ましい。また，本発明は，溝１３０の本数を限定するものではない。より多くの溝１３０があることが望ましいが，実際の本数は製造コスト，保持したいインク成分を含む溶剤８１の量等によって決定される。
【符号の説明】
【００２６】
１…インク容器，２…溶剤容器，６…ノズル，７帯電電極，８…インク液滴，９…上部偏向電極，１０…下部偏向電極，１１…ガター，２１…インク供給路，２２…供給ポンプ，２３…回収回路，２４…ポンプ，２５…溶剤回路，２６…洗浄回路，６１…凸部，６２…ノズル端面，６３…ノズル内壁，６４…ノズル開口部，８１…インク成分を含む溶剤，８３…液膜，８４…残存溶剤，８５…固着物，１００…ノズルカバー，１０１…微小隙間，１０２…ノズルカバー面，１０３…ノズルカバー開口部内壁，１０４…ノズルカバー開口部，１０５…支持部，１０６…通気口，１１０…微小溝，１２０…微細穴，１３０…溝，１３４…ノズルカバー開口部，１４０…溝
【図１】
2014201052.tif 000004
【図２】
2014201052.tif 000005
【図３】
2014201052.tif 000006
【図４】
2014201052.tif 000007
【図５】
2014201052.tif 000008
【図６】
2014201052.tif 000009
【図７】
2014201052.tif 000010
【図８】
2014201052.tif 000011
【図９】
2014201052.tif 000012
【図１０】
2014201052.tif 000013
【図１１】
2014201052.tif 000014